【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
被写体の光学像を観察するためのファインダーと、
前記被写体の光学像を画像データとして撮像する撮像手段と、
前記画像データを表示する画像表示手段と、
前記ファインダーに物体が接近したことを検出する検出手段と、
記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段と、
前記第１の動作モード時に、前記検出手段によって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御手段と
を有することを特徴とする撮像装置。
【請求項２】
前記制御手段は、前記第３の動作モード時に、前記操作手段の操作が行われた場合、前記第２の動作モードに移行する制御を行うことを特徴とする請求項１に記載の撮像装置。
【請求項３】
前記被写体の撮影に係る撮影情報を表示する情報表示手段を更に有し、
前記第３の動作モード時には、前記情報表示手段による前記撮影情報の表示を行うことを特徴とする請求項１または２に記載の撮像装置。
【請求項４】
前記制御手段は、前記第３の動作モード時に、前記検出手段によって前記ファインダーへの物体の接近を検出できない場合に、前記第１の動作モードに移行する制御を行うことを特徴とする請求項１乃至３のいずれか１項に記載の撮像装置。
【請求項５】
前記操作手段は、前記第１の動作モード時には、前記画像表示手段に表示している画像データの変倍指示、及び、前記画像表示手段に表示している画像データの変更指示のうちの少なくともいずれかを行う操作部材であることを特徴とする請求項１乃至４のいずれか１項に記載の撮像装置。
【請求項６】
前記操作手段は、前記第２の動作モード時には、露出値を保持する指示、測距エリアを選択する指示、シャッター速度を変更する指示、絞り値を変更する指示、及び、露出補正値を変更する指示のうちの少なくともいずれかを行う操作部材であることを特徴とする請求項１乃至５のいずれか１項に記載の撮像装置。
【請求項７】
被写体の光学像を観察するためのファインダーと、前記被写体の光学像を画像データとして撮像する撮像手段と、前記画像データを表示する画像表示手段と、記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段とを有する撮像装置の制御方法であって、
前記ファインダーに物体が接近したことを検出する検出ステップと、
前記第１の動作モード時に、前記検出ステップによって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御ステップと
を有することを特徴とする撮像装置の制御方法。
【請求項８】
被写体の光学像を観察するためのファインダーと、前記被写体の光学像を画像データとして撮像する撮像手段と、前記画像データを表示する画像表示手段と、記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段とを有する撮像装置が備えるコンピュータを、
前記ファインダーに物体が接近したことを検出する検出手段、
前記第１の動作モード時に、前記検出手段によって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御手段
として機能させるためのプログラム。
【請求項９】
被写体の光学像を観察するためのファインダーと、
前記被写体の光学像を画像データとして撮像する撮像手段と、
前記ファインダーに物体が接近したことを検出する検出手段と、
再生モードの際と撮影モードの際とで異なる動作指示を行うことが可能な操作手段と、
前記再生モード中に前記検出手段によって前記ファインダーへの物体の接近を検出しただけでは前記撮影モードへ移行せず、前記再生モード中に前記検出手段によって前記ファインダーへの物体の接近を検出し、かつ前記操作手段が操作された場合には前記撮影モードに移行するように制御する制御手段と
を有することを特徴とする撮像装置。
【請求項１０】
被写体の光学像を観察するためのファインダーと、
前記被写体の光学像を画像データとして撮像する撮像手段と、
前記ファインダーに物体が接近したことを検出する検出手段と、
再生モードの際と撮影モードの際とで異なる動作指示を行うことが可能な操作手段と、
前記再生モード中に前記検出手段によって前記ファインダーへの物体の接近を検出すると前記再生モードとは異なる動作モードに移行し、その後、前記操作手段が操作されることなく前記検出手段によって前記ファインダーへの物体の接近が検出されなくなった場合には、前記再生モードに移行するように制御する制御手段と
を有することを特徴とする撮像装置。
【請求項１１】
前記画像データを表示する画像表示手段を更に有し、
前記制御手段は、記録媒体に記録された前記画像データを前記再生モード中に表示している際に前記検出手段によって前記ファインダーへの物体の接近を検出し、その後、前記操作手段が操作されることなく前記検出手段による前記ファインダーへの物体の接近が検出されなくなると前記記録媒体に記録された前記画像データの表示を継続し、前記ファインダーへの物体の接近を検出し、かつ前記操作手段が操作されて前記撮影モードに移行する場合には前記記録媒体に記録された前記画像データの表示を停止するよう制御することを特徴とする請求項９または１０に記載の撮像装置。
【請求項１２】
前記再生モード中に前記検出手段によって前記ファインダーへの物体の接近を検出し、かつ前記操作手段が操作されると、撮影に関する動作指示が行われることを特徴とする請求項９乃至１１のいずれか１項に記載の撮像装置。
【請求項１３】
前記被写体の撮影に係る撮影情報を表示する情報表示手段を更に有し、
前記再生モード中に前記検出手段によって前記ファインダーへの物体の接近を検出した際には、前記情報表示手段による前記撮影情報の表示を行うことを特徴とする請求項９乃至１２のいずれか１項に記載の撮像装置。
【請求項１４】
前記操作手段は、前記再生モードの際には、画像表示手段に表示している画像データの変倍指示、及び、前記画像表示手段に表示している画像データの変更指示のうちの少なくともいずれかを行う操作部材であることを特徴とする請求項９乃至１３のいずれか１項に記載の撮像装置。
【請求項１５】
前記操作手段は、前記撮影モードの際には、露出値を保持する指示、測距エリアを選択する指示、シャッター速度を変更する指示、絞り値を変更する指示、及び、露出補正値を変更する指示のうちの少なくともいずれかを行う操作部材であることを特徴とする請求項９乃至１４のいずれか1項に記載の撮像装置。
【請求項１６】
被写体の光学像を観察するためのファインダーと、前記被写体の光学像を画像データとして撮像する撮像手段と、再生モードの際と撮影モードの際とで異なる動作指示を行うことが可能な操作手段とを有する撮像装置の制御方法であって、
前記ファインダーに物体が接近したことを検出する検出ステップと、
前記再生モード中に前記検出ステップによって前記ファインダーへの物体の接近を検出しただけでは前記撮影モードへ移行せず、前記再生モード中に前記検出ステップによって前記ファインダーへの物体の接近を検出し、かつ前記操作手段が操作された場合には前記撮影モードに移行する制御を行う制御ステップと
を有することを特徴とする撮像装置の制御方法。
【請求項１７】
被写体の光学像を観察するためのファインダーと、前記被写体の光学像を画像データとして撮像する撮像手段と、再生モードの際と撮影モードの際とで異なる動作指示を行うことが可能な操作手段とを有する撮像装置が備えるコンピュータを、
前記ファインダーに物体が接近したことを検出する検出手段、
前記再生モード中に前記検出手段によって前記ファインダーへの物体の接近を検出しただけでは前記撮影モードへ移行せず、前記再生モード中に前記検出手段によって前記ファインダーへの物体の接近を検出し、かつ前記操作手段が操作された場合には前記撮影モードに移行する制御を行う制御手段
として機能させるためのプログラム。
【請求項１８】
被写体の光学像を観察するためのファインダーと、前記被写体の光学像を画像データとして撮像する撮像手段と、再生モードの際と撮影モードの際とで異なる動作指示を行うことが可能な操作手段とを有する撮像装置の制御方法であって、
前記ファインダーに物体が接近したことを検出する検出ステップと、
前記再生モード中に前記検出ステップによって前記ファインダーへの物体の接近を検出すると前記再生モードとは異なる動作モードに移行し、その後、前記操作手段が操作されることなく前記検出ステップによって前記ファインダーへの物体の接近が検出されなくなった場合には、前記再生モードに移行するように制御する制御ステップと
を有することを特徴とする撮像装置の制御方法。
【請求項１９】
被写体の光学像を観察するためのファインダーと、前記被写体の光学像を画像データとして撮像する撮像手段と、再生モードの際と撮影モードの際とで異なる動作指示を行うことが可能な操作手段とを有する撮像装置が備えるコンピュータを、
前記ファインダーに物体が接近したことを検出する検出手段、
前記再生モード中に前記検出手段によって前記ファインダーへの物体の接近を検出すると前記再生モードとは異なる動作モードに移行し、その後、前記操作手段が操作されることなく前記検出手段によって前記ファインダーへの物体の接近が検出されなくなった場合には、前記再生モードに移行するように制御する制御手段
として機能させるためのプログラム。
【請求項２０】
請求項８または１７または１９に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】撮像装置及びその制御方法、プログラム、並びに、コンピュータ読み取り可能な記録媒体
【手続補正３】
【補正対象書類名】明細書
【補正対象項目名】０００１
【補正方法】変更
【補正の内容】
【０００１】
本発明は、その動作の過程において撮影モードや再生モードといった状態遷移を有している撮像装置及びその制御方法、プログラム、並びに、コンピュータ読み取り可能な記録媒体に関するものである。
【手続補正４】
【補正対象書類名】明細書
【補正対象項目名】０００９
【補正方法】変更
【補正の内容】
【０００９】
本発明は上述の問題点にかんがみてなされたものであり、撮像装置における動作モードを、撮影者の使用状態に応じて最適に設定することを実現する撮像装置及びその制御方法、プログラム、並びに、コンピュータ読み取り可能な記録媒体を提供することを目的とする。
【手続補正５】
【補正対象書類名】明細書
【補正対象項目名】００１０
【補正方法】変更
【補正の内容】
【００１０】
本発明の撮像装置は、被写体の光学像を観察するためのファインダーと、前記被写体の光学像を画像データとして撮像する撮像手段と、前記画像データを表示する画像表示手段と、前記ファインダーに物体が接近したことを検出する検出手段と、記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段と、前記第１の動作モード時に、前記検出手段によって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御手段とを有することを特徴とする。
本発明の撮像装置における他の態様は、被写体の光学像を観察するためのファインダーと、前記被写体の光学像を画像データとして撮像する撮像手段と、前記ファインダーに物体が接近したことを検出する検出手段と、再生モードの際と撮影モードの際とで異なる動作指示を行うことが可能な操作手段と、前記再生モード中に前記検出手段によって前記ファインダーへの物体の接近を検出しただけでは前記撮影モードへ移行せず、前記再生モード中に前記検出手段によって前記ファインダーへの物体の接近を検出し、かつ前記操作手段が操作された場合には前記撮影モードに移行するように制御する制御手段とを有することを特徴とする。
また、本発明の撮像装置におけるその他の態様は、被写体の光学像を観察するためのファインダーと、前記被写体の光学像を画像データとして撮像する撮像手段と、前記ファインダーに物体が接近したことを検出する検出手段と、再生モードの際と撮影モードの際とで異なる動作指示を行うことが可能な操作手段と、前記再生モード中に前記検出手段によって前記ファインダーへの物体の接近を検出すると前記再生モードとは異なる動作モードに移行し、その後、前記操作手段が操作されることなく前記検出手段によって前記ファインダーへの物体の接近が検出されなくなった場合には、前記再生モードに移行するように制御する制御手段とを有することを特徴とする。
【手続補正６】
【補正対象書類名】明細書
【補正対象項目名】００１１
【補正方法】変更
【補正の内容】
【００１１】
また、本発明は、上述した本発明の撮像装置に対応した制御方法、プログラム、並びに、コンピュータ読み取り可能な記憶媒体を含む。